(57)【要約】【課題】    既存の封緘養生容器は各供試体別に蓋を閉める形状であるため作業に時間がかかり、閉め忘れ等の人的失敗の可能性が高くなり、信頼性としても問題があるといった課題があった。  さらに、従来型の封緘養生容器は横置き構造であり、容器の耐久性の観点から、積み重ねるとひび割れる等の課題があった。積み重ねない場合は平面的に整地するため、スペースを取るといった課題があった。  そのため、蓋の閉め忘れをなくし、屋外での養生にも十分な強度があり、収納・検出が容易に出来るコンクリート養生容器を開発したかった。 【解決手段】  本願発明のコンクリート供試体の養生容器１はコンクリート供試体２を縦に複数個上下に収納できる収納部３を備え、収納部底部４に衝撃緩和材５を設け、密閉のための蓋６を１つのみ有する構造とした。 【選択図】  図３
2009294066.tif 000002
【特許請求の範囲】
【請求項１】
コンクリート供試体を縦に複数個上下に収納できる収納部を備え、密閉のための蓋を１つのみ有することを特徴とするコンクリート供試体の養生容器。
【請求項２】
収納部底には吸水性の衝撃緩和材が固定されている事を特徴とする請求項１に記載のコンクリート供試体容器。
【発明の詳細な説明】
【技術分野】
【０００１】
この発明は、コンクリートの圧縮強度試験等を行うためのコンクリート供試体を封緘養生あるいは水中養生するための養生容器に関する。
【背景技術】
【０００２】
コンクリートの圧縮強度はＪＩＳＡ５３０８「レディーミクストコンクリート」１０．２強度に記載されている通りコンクリート供試体３本の強度結果の平均値で表す。
コンクリート供試体は一般に直径１００ｍｍ高さ２００ｍｍの円柱供試体が多い。
コンクリート供試体は実構造物と比較してサイズが小さい事から気中に放置しておくとセメントと水の水和に必要な水分が蒸発し、見かけの強度が低くなる可能性がある。そのため一般に水中又は湿潤な雰囲気中（相対湿度９５％以上）での水中養生または封緘養生（コンクリートからの水分の逸散がない状態で行うコンクリート供試体の養生）が用いられる。
養生期間はいずれも一般に７日、２８日、５６日、９１日が多い。
【０００３】
従来型の養生容器として、例えば特許文献１のような封緘養生（コンクリートからの水分の逸散がない状態で行うコンクリート供試体の養生）を行うための封緘養生容器が知られている。他にも封緘養生を行う容器はあるが、特許文献１と同様にコンクリート供試体１本ごとに蓋を閉め、横に３本並べて養生する構造になっている。
【０００４】
【特許文献１】特開２００５−３４１７号公報
【発明の開示】
【発明が解決しようとする課題】
【０００５】
特許文献１のような従来型コンクリート供試体の封緘養生容器はコンクリート供試体を複数の収納部へ個別に収納し、密閉するものである。
いずれも複数の収納部それぞれを密閉するため、処理本数が多いほど時間がかかり、閉め忘れ等の可能性も大きくなり、十分な封緘効果が得られない可能性があるといった課題があった。
【０００６】
養生スペースを広く確保できる場合は問題ないが一般に工事現場等ではスペース確保が難しく、あるロットのコンクリート供試体上に別ロットのコンクリート供試体を積み重ね、立体的に養生する場合が多い。
水中養生の場合、コンクリート供試体同士を直接積み重ねるため問題はないが、封緘養生の場合、コンクリート供試体が入った封緘養生容器上に別ロットのコンクリート供試体が入った封緘養生容器を積み重ねるため、下に置かれた封緘養生容器がひび割れる等の不具合が発生する可能性があるといった課題があった。
【０００７】
さらに、養生スペース確保が難しい場合、一番下に置かれている供試体は検索を行いにくいという課題があった。
【課題を解決するための手段】
【０００８】
本願発明のコンクリート供試体養生容器はこれら課題を解決するものであって、コンクリート供試体を縦に複数個上下に収納できる収納部を備え密閉用の蓋を１つのみ有することを特徴とするものである。
【０００９】
また、本願発明のコンクリート供試体養生容器の収納部は底に衝撃緩和材を設けている事を特徴とする。
【００１０】
一般にコンクリート供試体を本願発明のコンクリート供試体養生容器に収納するには１〜２日間程度必要とし、コンクリート供試体は３本上下に積み重ねる事に耐えうる強度を十分発現している。そのため収納部を１つとし、３本上下に積み重ねる事に問題は無く、さらに３本間における空気の流通が可能である。その事から一定期間養生後の強度試験結果についても問題は無い。
【発明の効果】
【００１１】
蓋を一つにすることにより、蓋を閉める作業時間は１／３に軽減され、全体の作業についても簡略化され、閉め忘れの可能性が減少することにより、信頼性向上につながる。
また、縦に複数個上下に収納する構造により、従来品より立体的な収納が可能となりスペースを有効に利用でき、屋外でも省スペースでの養生が可能となる。
さらに、例えばワインセラーのような収納棚に本養生容器をワインのように横にして収納する事により非常に検索しやすくなる事に加え、さらなるスペース効率の増大が図れる。
【００１２】
本願発明のコンクリート供試体養生容器は工事現場での使用を前提としている。そのため従来品より頑丈であり容器のひび割れ等による不良が発生しにくい。
【００１３】
収納部の底に吸水性の衝撃緩和材を設けることで収納時の衝撃緩和のみならず、水分を含ませる事により相対湿度９５％以上の環境を維持する事が可能で、水中養生としても適用可能である。
【発明を実施するための最良の形態】
【００１４】
本願発明の構成を図１〜図３を用いて詳細に説明する。
【００１５】
本願発明のコンクリート供試体養生容器の構成を図１を用いて説明すると、養生容器は収納部３と蓋部６とからなり、収納部３はその上部内周のねじ部７、底盤４及び衝撃緩和材５（厚さ５ｍｍ程度）から構成されている。蓋部６はその下部外周のねじ部８及び持ち運び用の取手部９から構成されている。また、蓋６にはパッキン材が取付けられており、収納部３とねじ締結されたときにパッキン材が密着する事で密封状態を確保する。
取っ手以外の全ての素材は塩化ビニールで構成されている。
【００１６】
つぎに、本願発明のコンクリート供試体養生容器を用いたコンクリート供試体の収納方法を説明すると、図２に記載されているようにコンクリート供試体２を上下逆に３本積み重ねて置き、収納部３をかぶせ、収納部３ごと天地逆にする。その後蓋６を閉め、密封する。密封後の状態は図３に記載されている通りである。  
【００１７】
３本のコンクリート供試体２は実施の形態による封緘養生容器１の収納部３に上下に縦置きで収納し、決められた日数（一般に７、２８、５６、９１日）封緘養生を行う。
【００１８】
また、本養生容器は密封できる事から封緘養生容器以外に、収納部下部のスポンジ等の衝撃緩和材に少量の水を含ませる事により、コンクリート供試体を水に浸漬させる事無く、相対湿度９５％以上の湿潤な雰囲気中を維持する事が可能であり、水中養生容器としても適用可能である。
【００１９】
上下に縦置きで収納する事により、スペースの効率化が図れ整理整頓が容易となる。
３本のコンクリート供試体２は同一の収納部３にて封緘養生される。そのため、採取、作成され封緘養生された３本のコンクリート供試体２間は空気が流通し、養生条件に起因するばらつき要因を少なくできる。
【００２０】
図面上では材質を塩化ビニールとしているが、例えば硬質ゴム等、その他の素材でも適用可能である。また、図面上では蓋をネジ式としているが、密封できるものであれば何でも適用可能である。
【００２１】
設置方法としては直接地面に置く他に、例えばワインセラーのような収納棚に本養生容器をワインのように横にして収納すると検索が非常に行いやすい事に加え、更に立体的な収納が可能でありスペース効率の増大が図れる。 
【図面の簡単な説明】
【００２２】
【図１】図１は実施の形態による封緘養生容器の正面図
【図２】図２は封緘養生容器をコンクリート供試体にかぶせる際の正面図
【図３】図３は封緘養生容器にコンクリート供試体を収納した際の正面図
【符号の説明】
【００２３】
１．コンクリート供試体の養生容器全体
２．コンクリート供試体
３．収納部
４．底盤
５．衝撃緩和材
６．蓋
７．収納部側ねじ部
８．蓋側ねじ部
９．取っ手
【図１】
2009294066.tif 000003
【図２】
2009294066.tif 000004
【図３】
2009294066.tif 000005
【手続補正書】
【提出日】平成20年12月25日(2008.12.25)
【手続補正１】
【補正対象書類名】特許請求の範囲
【補正対象項目名】請求項１
【補正方法】変更
【補正の内容】
【請求項１】
コンクリート供試体を縦に複数個上下にして１列でのみ収納できる収納部を備え、密閉のための蓋を１つのみ有することを特徴とするコンクリート供試体の円筒型養生容器。
【手続補正２】
【補正対象書類名】明細書
【補正対象項目名】０００７
【補正方法】変更
【補正の内容】
【０００７】
本願発明のコンクリート供試体の円筒型養生容器はこれら課題を解決するものであって、コンクリート供試体を縦に複数個上下にして１列でのみ収納できる収納部を備え密閉のための蓋を１つのみ有することを特徴とするものである。
【手続補正３】
【補正対象書類名】明細書
【補正対象項目名】００１０
【補正方法】変更
【補正の内容】
【００１０】
コンクリート供試体を３本積み重ねて置き、収納部をかぶせ、収納部ごと天地逆にすることで収納できる。
蓋を一つにすることにより、蓋を閉める作業時間は１／３に軽減され、全体の作業についても簡略化され、閉め忘れの可能性が減少することにより、信頼性向上につながる。
また、縦に複数個上下にして１列でのみ収納できる構造により、従来品より立体的な収納が可能となりスペースを有効に利用でき、屋外でも省スペースでの養生が可能となる。
円筒状の養生容器において１列でのみ収納でき、密閉のためのふたを１つのみ有する構成であるので密封状態を確保することができる。
さらに、例えばワインセラーのような収納棚に本養生容器をワインのように横にして収納する事により非常に検索しやすくなる事に加え、さらなるスペース効率の増大が図れる。     
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
コンクリート供試体を縦に複数個上下にして１列で収納できる供試体の径より僅かに大きめの径を有する収納部を備え、収納部を天地逆にすることによってのみ供試体を収納できるようにし、密閉のための蓋を１つのみ有することを特徴とするコンクリート供試体の円筒型養生容器。
【請求項２】
収納部底には吸水性の衝撃緩和材が固定されている事を特徴とする請求項１に記載のコンクリート供試体容器。
【手続補正２】
【補正対象書類名】明細書
【補正対象項目名】０００７
【補正方法】変更
【補正の内容】
【０００７】
【課題を解決するための手段】
本願発明のコンクリート供試体の円筒型養生容器はこれら課題を解決するものであって、コンクリート供試体を縦に複数個上下にして１列で収納できる供試体の径より僅かに大きめの径を有する収納部を備え、収納部を天地逆にすることによってのみ供試体を収納できるようにし、密閉のための蓋を１つのみ有することを特徴とするものである。